(57)【要約】【課題】作業性が良く、簡単な構成で、ワイヤを痛めることなく、確実に既製杭を垂直に吊り上げることができる杭の吊り治具を提供すること。【解決手段】既製杭１を内挿する管を周方向に分割した締付管分割体２と、締付管分割体２同士を連結するリンク機構３とを備え、リンク機構３が、各締付管分割体２の分割端部から互いの対向方向に延設された縦に揺動可能な横リンクプレート４と、横リンクプレート４の先端部を枢支して連結するとともに、吊りワイヤが係着される縦リンクプレート５とを備える。【選択図】図１
2008121412.tif 000002
【特許請求の範囲】
【請求項１】
既製杭を内挿する管を周方向に分割した締付管分割体と、締付管分割体同士を連結するリンク機構とを備え、該リンク機構が、各締付管分割体の分割端部から互いの対向方向に延設された縦に揺動可能な横リンクプレートと、横リンクプレートの先端部を枢支して連結するとともに、吊りワイヤが係着される縦リンクプレートとを備えたことを特徴とする杭の吊り治具。
【請求項２】
対向する横リンクプレートを、平行リンクとして上下に複数組連設したことを特徴とする請求項１記載の杭の吊り治具。
【請求項３】
締付管分割体を周方向に分割してヒンジにより連結するとともに、該ヒンジのヒンジピンを引き抜き可能に設けたことを特徴とする請求項１又は２記載の杭の吊り治具。
【請求項４】
締付管分割体の内側に滑り防止部材を配設したことを特徴とする請求項１、２又は３記載の杭の吊り治具。
【請求項５】
縦リンクプレートの上部に、先端部が揺動することにより基部が締付管分割体の上面を押圧する梃子状の締付リンクプレートを枢着したことを特徴とする請求項１、２、３又は４記載の杭の吊り治具。
【請求項６】
締付リンクプレートが締付管分割体を所要押圧する揺動位置で、締付リンクプレートと縦リンクプレートと係合させ、締付リンクプレートを縦リンクプレートにロックするロックピンを設けたことを特徴とする請求項５記載の杭の吊り治具。
【請求項７】
請求項１乃至６記載の杭の吊り治具と共に使用する杭受け台であって、杭を挟んで地上に配設する脚部に、縦リンクプレートを下から昇降可能に支持するジャッキを設けたことを特徴とする杭受け台。
【発明の詳細な説明】
【技術分野】
【０００１】
本発明は、杭の吊り治具及びそれと共に用いる杭受け台に関し、特に、作業性が良く、簡単な構成で、ワイヤを痛めることなく、確実に既製杭を垂直に吊り上げることができる杭の吊り治具及びそれと共に用いる杭受け台に関するものである。
【背景技術】
【０００２】
従来、既製杭を吊り上げて移動するために汎用されているいわゆる「杭の玉掛け」は、玉掛けワイヤを既製杭に２〜３回胴巻きして吊り上げ、杭の自重でワイヤに緊張力を与え、杭とワイヤとの間に発生する摩擦力で杭の吊り上げを行うものである。
【０００３】
この杭の玉掛けに際して、杭が比較的軽量で、それを吊り上げるワイヤも細径で十分な場合は、人力で玉掛けが可能であるし、ワイヤに捻れなどで部分的にかかる応力が比較的少なく、ワイヤ自体が損傷するなどの問題は比較的少ない。
しかしながら、大径で重い杭（一般に、大きな支持力を要求される既製杭）を、上記と同様に玉掛けで吊り上げようとすると、ワイヤも太径で丈夫なものが必要となり、人力では取扱いが困難となるばかりか、危険を伴うようになる。
また、ワイヤが太径であるが故に、応力がかかる部位が大きく異なり、キンク、型崩れ、素線切れ等を起こしやすくなり危険性が増す等の問題がある。
【０００４】
また、杭を削孔に挿入した後は、杭を挟んで地上に配設する脚部を有するカンザシ状の杭受け台に、杭に胴巻きした玉掛けワイヤのシッテを引っ掛けて仮吊りをする。
そして、この仮吊りをした杭と、クレーンで新たに吊り上げた上の杭との接合を行うが、接合後、仮吊りをした杭の玉掛けワイヤを取り外す際には、クレーンで上の杭ごと吊り上げることにより玉掛けワイヤを緩めて杭受け台から外す必要がある。
すなわち、この杭の吊り上げ時には、削孔内の杭を含めた杭の全荷重と、ソイルセメント等による杭の引き抜き抵抗とがクレーンにかかることになり、クレーンに対する負荷が大きくなりすぎるという問題があった。
【発明の開示】
【発明が解決しようとする課題】
【０００５】
本発明は、上記従来の既製杭を吊り上げて移動するために汎用されている杭の玉掛けが有する問題点に鑑み、作業性が良く、簡単な構成で、ワイヤを痛めることなく、確実に既製杭を垂直に吊り上げることができる杭の吊り治具を提供することを第１の目的とする。
また、本発明は、上記従来の杭受け台が有する問題点に鑑み、クレーンで杭を吊り上げることなく吊り治具を取り外すことができる杭受け台を提供することを第２の目的とする。
【課題を解決するための手段】
【０００６】
上記第１の目的を達成するため、本発明の杭の吊り治具は、既製杭を内挿する管を周方向に分割した締付管分割体と、締付管分割体同士を連結するリンク機構とを備え、該リンク機構が、各締付管分割体の分割端部から互いの対向方向に延設された縦に揺動可能な横リンクプレートと、横リンクプレートの先端部を枢支して連結するとともに、吊りワイヤが係着される縦リンクプレートとを備えたことを特徴とする。
【０００７】
この場合において、対向する横リンクプレートを、平行リンクとして上下に複数組連設することができる。
【０００８】
また、締付管分割体を周方向に分割してヒンジにより連結するとともに、該ヒンジのヒンジピンを引き抜き可能に設けることができる。
【０００９】
また、締付管分割体の内側に滑り防止部材を配設することができる。
【００１０】
また、縦リンクプレートの上部に、先端部が揺動することにより基部が締付管分割体の上面を押圧する梃子状の締付リンクプレートを枢着することができる。
【００１１】
また、締付リンクプレートが締付管分割体を所要押圧する揺動位置で、締付リンクプレートと縦リンクプレートと係合させ、締付リンクプレートを縦リンクプレートにロックするロックピンを設けることができる。
【００１２】
また、上記第２の目的を達成するため、本発明の杭受け台は、上記本発明の杭の吊り治具と共に使用する杭受け台であって、杭を挟んで地上に配設する脚部に、縦リンクプレートを下から昇降可能に支持するジャッキを設けたことを特徴とする。
【発明の効果】
【００１３】
本発明の杭の吊り治具によれば、既製杭を内挿する管を周方向に分割した締付管分割体と、締付管分割体同士を連結するリンク機構とを備え、該リンク機構が、各締付管分割体の分割端部から互いの対向方向に延設された縦に揺動可能な横リンクプレートと、横リンクプレートの先端部を枢支して連結するとともに、吊りワイヤが係着される縦リンクプレートとを備えることから、杭を締付管に内挿して縦リンクプレートを吊りワイヤで引き上げると、縦リンクプレートの上昇により横リンクプレートが揺動し、締付管分割体の間隔を狭めて締付管を縮径し、杭を締め付けるように保持することができる。
その結果、大径で重い杭を対象とするためワイヤ径が太径となっても、作業性が良く、簡単な構成で、捻れなどでワイヤに部分的にかかる応力が比較的少ないためワイヤを痛めることなく、確実に既製杭を垂直に吊り上げることができる。
【００１４】
この場合、対向する横リンクプレートを、平行リンクとして上下に複数組連設することにより、締付管分割体の間隔を上下均等に狭めて締付管を縮径し、杭をより安定した状態で締め付けて保持することができる。
【００１５】
また、締付管分割体を周方向に分割してヒンジにより連結するとともに、該ヒンジのヒンジピンを引き抜き可能に設けることにより、杭の円周により近い形状で締付管を縮径するとともに、縮径を緩めて一方のヒンジピンを引く抜くことにより、締付管を開いて吊り治具を杭から容易に取り外すことができる。
【００１６】
また、締付管分割体の内側に滑り防止部材を配設することにより、締付管による杭の保持を確実に行うことができる。
【００１７】
また、縦リンクプレートの上部に、先端部が揺動することにより基部が締付管分割体の上面を押圧する梃子状の締付リンクプレートを枢着することにより、締付リンクプレートの先端部を吊りワイヤで吊り上げて揺動させることにより、リンク機構を作用させて締付管を縮径し、内挿した杭を予備的に締め付けて保持することができ、これにより、杭が横積みされている状態から吊り上げ初期の間の杭の保持を自動的にすることができる。
【００１８】
また、締付リンクプレートが締付管分割体を所要押圧する揺動位置で、締付リンクプレートと縦リンクプレートと係合させ、締付リンクプレートを縦リンクプレートにロックするロックピンを設けることにより、予備的に締め付けた杭の保持を確実に持続することができる。
【００１９】
一方、本発明の杭受け台は、上記本発明の杭の吊り治具と共に使用する杭受け台であって、杭を挟んで地上に配設する脚部に、縦リンクプレートを下から昇降可能に支持するジャッキを設けることから、ジャッキを上昇させた状態で縦リンクプレートを支持することにより、吊り上げ時と同様にリンク機構を作用させ、吊りワイヤを外した後も締め付け力を付与して杭の落下を防止するとともに、上に接続した杭を介して支持した状態でジャッキを下降させることにより、縦リンクプレートの下降を許容し、締付管分割体を緩めて杭から吊り治具を取り外すことができる。
【発明を実施するための最良の形態】
【００２０】
以下、本発明の杭の吊り治具及びそれと共に用いる杭受け台の実施の形態を、図面に基づいて説明する。
【実施例１】
【００２１】
図１〜図４に、本発明の杭の吊り治具の第１実施例を示す。
この杭の吊り治具は、既製杭１を内挿する管を周方向に分割した締付管分割体２と、締付管分割体２同士を連結するリンク機構３とを備えている。
リンク機構３は、各締付管分割体２の分割端部から互いの対向方向に延設された縦に揺動可能な横リンクプレート４と、横リンクプレート４の先端部を枢支して連結するとともに、吊りワイヤが係着される縦リンクプレート５とを備え、対向する横リンクプレート４は、平行リンクとして上下に２組連設されている。
【００２２】
締付管分割体２は、本実施例では、浅めに形成された２つの半裁筒体からなり、それぞれの分割端部には、耳状の突片２１と該突片２１から締付管の接線方向に延設された取付片２２とが一体に設けられている。
各取付片２２には、上下２段の平行リンクを形成するように、横リンクプレート４が２組ずつ、該取付片２２と平行な面上で揺動するように枢着されている。
【００２３】
また、本実施例では、締付管分割体２の対向する突片２１を貫通するようにボルト６が設けられており、リンク機構３によって締付管分割体２の間隔を狭めた後、突片２１の外側からボルト６にナット７を螺合することにより、リンク機構３の緩み止めとしている。
なお、突片２１を所要長く形成することにより、図２（ｂ）に示すように、先端部が二股になったカンザシ状の杭受け台８上にこの突片２１を支持させ、杭１を仮吊りすることができる。
【００２４】
この場合、図５に示すように、杭受け台８の脚部に支持突起８１を設け、この支持突起８１を縦リンクプレート５の下部に押し当てることにより、縦リンクプレート５を下から支持し、吊り上げ時と同様にリンク機構３を作用させ、吊りワイヤを外した後も、締め付け力を付与して杭１の落下を防止することができる。
【００２５】
また、締付管分割体２は、周方向に２分割したものがヒンジ９により連結されており、少なくとも一方のヒンジ９のヒンジピン９１が引き抜き可能に設けられている。
これにより、杭１の円周により近い形状で締付管を縮径するとともに、吊り治具を杭１から取り外すときには、図３に示すように、縦リンクプレート５を下げてリンク機構３を緩め、一方のヒンジピン９１を引く抜くことにより、もう一方のヒンジピン９１を軸に締付管を開くようにする。
【００２６】
リンク機構３は、締付管分割体２の取付片２２にその基部が枢着され、締付管の接線方向に延設された上下２段の横リンクプレート４と、これら横リンクプレート４の先端部を枢支して連結する縦リンクプレート５とを備えている。
縦リンクプレート５は、２つの締付管分割体２から上下２段の横リンクプレート４が平行に枢着されることにより、その両側に平行リンクを形成している。
これにより、図１に示すように、縦リンクプレート５を上部穴５１を介して吊りワイヤＷで引き上げると、縦リンクプレート５の上昇によって横リンクプレート４が斜めに揺動し、締付管分割体２の間隔を狭めて、杭１を締め付けるように保持する。
【００２７】
一方、締付管分割体２の内側には、滑り防止部材２３が配設されており、締付管分割体２による杭１の保持を確実に行うようにしている。
この滑り防止部材２３には、特に限定されるものではないが、積層用樹脂、防滑材及び補強材等からなる複合積層樹脂（ＦＲＰ）製のものやウレタンゴム等の硬質のゴム製のものを用いることができ、特に、ウレタンゴム製のものや、積層用樹脂としてイソフタル酸系不飽和ポリエステル樹脂、防滑材として粉末シリコン、補強材としてガラス繊維を使用し、ガラス繊維にイソフタル酸系不飽和ポリエステル樹脂を含浸することを複数層に亘って繰り返し、表面のガラス繊維に粉末シリコンを混入したイソフタル酸系不飽和ポリエステル樹脂を塗布した複合積層樹脂（ＦＲＰ）製のものを好適に用いることができる。
【００２８】
次に、この杭の吊り治具の使用方法を説明する。
図１及び図２に示すように、杭１の上部に杭の吊り治具を取り付け、治具の縦リンクプレート５を吊りハンガーＷ１と吊りワイヤＷを介してクレーン１０にて吊り上げる。
縦リンクプレート５はこの吊り上げにより上昇することから、横リンクプレート４は、略水平の状態からその先端部が縦リンクプレート５により引き上げられ、これにより、締付管分割体２の間隔を狭めて締付管を縮径し、杭１を締め付けるように保持しながら吊り上げる。
【００２９】
そして、図２に示すように、所定の杭ジョイント位置に運び、下杭と吊り込まれた杭１とを溶接工法や無溶接工法により接合する。
なお、このとき、二股の杭受け台８を杭１を挟むように差し込み、締付管分割体２の突片２１を支持することにより杭１の落下を防止する。
杭１の接合後、杭受け台８を取り除き、下杭と中杭（上杭）を削孔内に挿入する。
杭の挿入後、杭受け台８を再度差し込んで杭１を一時的に受け、吊り冶具を杭１から取り外す。
一方、吊り治具を杭から取り外すときには、図３に示すように、縦リンクプレート５を下げてリンク機構３を緩め、一方のヒンジ９のヒンジピン９１を引く抜くことにより、もう一方のヒンジ９のヒンジピン９１を軸に締付管を開くようにする。
【実施例２】
【００３０】
図６に、本発明の杭の吊り治具の第２実施例を示す。
この杭の吊り治具は、既製杭を内挿する管を周方向に分割した締付管分割体２と、締付管分割体２同士を連結するリンク機構３とを備えている。
リンク機構３は、各締付管分割体２の分割端部から互いの対向方向に延設された縦に揺動可能な横リンクプレート４と、横リンクプレート４の先端部を枢支して連結するとともに、吊りワイヤが間接的に係着される縦リンクプレート５とを備え、対向する横リンクプレート４は、平行リンクとして上下に２組連設されている。
そして、この杭の吊り治具は、縦リンクプレート５の上部に、先端部が揺動することにより基部が締付管分割体２の上面を押圧する梃子状の締付リンクプレート１１を枢着している。
【００３１】
締付管分割体２は、本実施例では、２つの半裁筒体からなり、それぞれの分割端部には、横リンクプレート４が枢着される取付片２４が基軸２５により揺動可能に設けられている。
締付管分割体２の一方の基軸２５は抜き取り可能に設けられており、環状をなす締付管分割体２は、拡開若しくは分割が可能である。
なお、締付管分割体２の内側には、硬質ウレタンゴム等の滑り防止部材２３が配設されている。
【００３２】
締付リンクプレート１１は長板状のプレートからなり、その中間部が縦リンクプレート５の上部に枢着されている。
締付リンクプレート１１は、初期位置が縦リンクプレート５に対し斜めになるように設置されており、先端部がそこに係着される吊りワイヤで引かれることによって揺動し、縦リンクプレート５と一直線になる。
そして、この揺動の際に基部のローラ１２で締付管分割体２の上面を押圧し、締付管分割体２に対し縦リンクプレート５を引き上げ、リンク機構３を作用させることにより締付管分割体２を縮径する。
縮径した締付管分割体２は、内側の滑り防止部材２３を介し、内挿した杭を予備的に締め付けて保持することができ、これにより、杭が横積みされている状態から吊り上げ初期の間の杭の保持を自動的に行うことができる。
【００３３】
また、この杭の吊り治具は、締付リンクプレート１１が締付管分割体２を所要押圧する縦の揺動位置で、締付リンクプレート１１と縦リンクプレート５と係合させ、締付リンクプレート１１を縦リンクプレート５にロックするロックピン１３を設けている。
ロックピン１３は、締付リンクプレート１１の長溝１３ａ内を摺動し、縦リンクプレート５の上端に設けた切欠１３ｂに嵌合することにより、締付リンクプレート１１と縦リンクプレート５とをロックする。
【実施例３】
【００３４】
図７〜図８に、本発明の杭の吊り治具の第３実施例を示す。
この杭の吊り治具は、既製杭を内挿する管を周方向に分割した締付管分割体２と、締付管分割体２同士を連結するリンク機構３とを備えている。
リンク機構３は、各締付管分割体２の分割端部から互いの対向方向に延設された縦に揺動可能な横リンクプレート４と、横リンクプレート４の先端部を枢支して連結するとともに、吊りワイヤが間接的に係着される縦リンクプレート５とを備え、対向する横リンクプレート４は、平行リンクとして上下に２組連設されている。
そして、この杭の吊り治具は、縦リンクプレート５の上部に、先端部が揺動することにより基部が締付管分割体２の上面を押圧する梃子状の締付リンクプレート１１を枢着している。
【００３５】
締付管分割体２は、本実施例では、２つの半裁筒体からなり、それぞれの分割端部には、横リンクプレート４が枢着される取付片２４が基軸２５により揺動可能に設けられている。
締付管分割体２の一方の基軸２５は抜き取り可能に設けられており、環状をなす締付管分割体２は、拡開若しくは分割が可能である（図６参照）。
また、本実施例では、締付管分割体２の上方で、締付リンクプレート１１の先端部の傾斜側に、縦リンクプレート５と取付片２４とを連結する補助リンクプレート１４を設けている。
これにより、締付リンクプレート１１が吊りワイヤで引かれたときに、初期に生じる横方向の力をこの補助リンクプレート１４で負担し、横リンクプレート４から軽減するようにしている。
なお、締付管分割体２の内側には、硬質ウレタンゴム等の滑り防止部材２３が配設されている。
【００３６】
締付リンクプレート１１は長板状のプレートからなり、その中間部が縦リンクプレート５の上部に枢着されている。
締付リンクプレート１１は、初期位置が縦リンクプレート５に対し斜めになるように設置されており、先端部がそこに係着される吊りワイヤで引かれることによって揺動し、縦リンクプレート５と一直線になる。
そして、この揺動の際に基部のローラ１２で締付管分割体２の上面を押圧し、締付管分割体２に対し縦リンクプレート５を引き上げ、リンク機構３を作用させることにより締付管分割体２を縮径する。
縮径した締付管分割体２は、内側の滑り防止部材２３を介し、内挿した杭を予備的に締め付けて保持することができ、これにより、杭が横積みされている状態から吊り上げ初期の間の杭の保持を自動的に行うことができる。
【００３７】
また、この杭の吊り治具は、締付リンクプレート１１が締付管分割体２を所要押圧する縦の揺動位置で、締付リンクプレート１１と縦リンクプレート５と係合させ、締付リンクプレート１１を縦リンクプレート５にロックするロックピン１３を設けている。
ロックピン１３は、図８にも示すように、締付リンクプレート１１の貫通孔を覆うように取り付けられた筒状のピンケース１３ｃと、このピンケース１３ｃ内にばね１３ｄにより付勢して摺動可能に配設されたロックピン本体１３ｅとを有し、締付リンクプレート１１の貫通孔と縦リンクプレート５の嵌合孔５１が一致する揺動位置で、ロックピン本体１３ｅが自動的に縦リンクプレート５の嵌合孔５１に嵌合し、締付リンクプレート１１と縦リンクプレート５とをロックする。
ロックを解除する場合は、ロックピン本体１３ｅから半径方向に突出する引き金１３ｆを、ピンケース１３ｃに形成された鉤溝１３ｇに沿って引き、鉤溝１３ｇの終端に掛止する。
【実施例４】
【００３８】
図９に、本発明の杭の吊り治具の第４実施例を示す。
この杭の吊り治具は、第２〜第３実施例とほぼ同じ構成を有しているが、締付管分割体２が、Ｕ字状に形成されたＵ字状分割体２ａと、該Ｕ字状分割体２ａの開口部に配設される円弧状の円弧状分割体２ｂとによって構成されている。
円弧状分割体２ｂは、その両端に配設された基軸２５を、Ｕ字状分割体２ａの両端に形成された長溝２６に摺動可能に嵌挿しており、基軸２５が杭の接線方向に摺動することにより締付管分割体２は縮径が可能である。
また、この締付管分割体２は、一方の基軸２５を取り外すことにより、円弧状分割体２ｂを揺動させて拡開し、側方から杭１の出し入れをすることができる。
【実施例５】
【００３９】
一方、図１０〜図１１に、本発明の杭受け台の一実施例を示す。
この杭受け台８は、上記各実施例の杭の吊り治具と共に使用する杭受け台であって、杭１を挟んで地上に配設する脚部８２に、縦リンクプレート５を下から昇降可能に支持するジャッキ８３を設けている。
【００４０】
脚部８２は一端で連結されるとともに、この連結部に配設した幅調整シリンダ８４により、杭径に合わせて脚部８２の間隔を調整できるようにしている。
【００４１】
ジャッキ８３は脚部８２の内部に装着されており、上下に伸縮することにより、吊り治具の縦リンクプレート５を下から支持する突出状態と、縦リンクプレート５の支持から外れて、締付管分割体２を脚部８２に支持させる退入状態とを選択的に呈することができる。
この場合、図１１に示すように、縦リンクプレート５の下部を長く延長して形成している場合は、ジャッキ８３を下げたときにこの縦リンクプレート５の延長部を収容する凹部を脚部８２に形成しておくようにする。
【００４２】
かくして、これら各実施例の杭の吊り治具は、既製杭１を内挿する管を周方向に分割した締付管分割体２と、締付管分割体２同士を連結するリンク機構３とを備え、該リンク機構３が、各締付管分割体２の分割端部から互いの対向方向に延設された縦に揺動可能な横リンクプレート４と、横リンクプレート４の先端部を枢支して連結するとともに、吊りワイヤが係着される縦リンクプレート５とを備えることから、杭１を締付管に内挿して縦リンクプレート５を吊りワイヤで引き上げると、縦リンクプレート５の上昇により横リンクプレート４が揺動し、締付管分割体２の間隔を狭めて締付管を縮径し、杭１を締め付けるように保持することができる。
その結果、大径で重い杭を対象とするためワイヤ径が太径となっても、作業性が良く、簡単な構成で、捻れなどで吊りワイヤＷに部分的にかかる応力が比較的少ないため吊りワイヤＷを痛めることなく、確実に杭１を垂直に吊り上げることができる。
【００４３】
この場合、対向する横リンクプレート４を、平行リンクとして上下に複数組連設することにより、締付管分割体２の間隔を上下均等に狭めて締付管を縮径し、杭１をより安定した状態で締め付けて保持することができる。
【００４４】
また、締付管分割体２を周方向に分割してヒンジ９により連結するとともに、該ヒンジ９のヒンジピン９１を引き抜き可能に設けることにより、杭１の円周により近い形状で締付管を縮径するとともに、縮径を緩めて一方のヒンジピン９１を引く抜くことにより、締付管を開いて吊り治具を杭から容易に取り外すことができる。
【００４５】
また、締付管分割体２の内側に滑り防止部材２３を配設することにより、締付管による杭１の保持を確実に行うことができる。
【００４６】
また、縦リンクプレート５の上部に、先端部が揺動することにより基部が締付管分割体２の上面を押圧する梃子状の締付リンクプレート１１を枢着することにより、締付リンクプレート１１の先端部を吊りワイヤで吊り上げて揺動させることにより、リンク機構３を作用させて締付管を縮径し、内挿した杭を予備的に締め付けて保持することができ、これにより、杭が横積みされている状態から吊り上げ初期の間の杭の保持を自動的にすることができる。
【００４７】
また、締付リンクプレート１１が締付管分割体２を所要押圧する揺動位置で、締付リンクプレート１１と縦リンクプレート５と係合させ、締付リンクプレート１１を縦リンクプレート５にロックするロックピン１３を設けることにより、予備的に締め付けた杭の保持を確実に持続することができる。
【００４８】
一方、本実施例の杭受け台８は、上記各実施例の杭の吊り治具と共に使用する杭受け台であって、杭を挟んで地上に配設する脚部８２に、縦リンクプレート５を下から昇降可能に支持するジャッキ８３を設けることから、ジャッキ８３を上昇させた状態で縦リンクプレート５を支持することにより、吊り上げ時と同様にリンク機構３を作用させ、吊りワイヤを外した後も締め付け力を付与して杭の落下を防止するとともに、上に接続した杭を介して支持した状態でジャッキ８３を下降させることにより、縦リンクプレート５の下降を許容し、締付管分割体２を緩めて杭から吊り治具を取り外すことができる。
【００４９】
以上、本発明の杭の吊り治具及びそれと共に用いる杭受け台について、その実施例に基づいて説明したが、本発明は上記実施例に記載した構成に限定されるものではなく、その趣旨を逸脱しない範囲において適宜その構成を変更することができる。
【産業上の利用可能性】
【００５０】
本発明の杭の吊り治具は、作業性が良く、簡単な構成で、ワイヤを痛めることなく、確実に既製杭を垂直に吊り上げることができることから、例えば、大径で重い杭を対象とする場合に好適に用いることができる。
また、本発明の杭受け台は、クレーンで杭を吊り上げることなく吊り治具を取り外すことができるため、本発明の杭の吊り治具の補助具として効果的に用いることができる。
【図面の簡単な説明】
【００５１】
【図１】本発明の杭の吊り治具の第１実施例を示し、（ａ）は吊り治具を杭に装着した状態を示す締め付け前の正面図、（ｂ）はリンク機構により杭を締め付けた状態を示す正面図、（ｃ）は（ｂ）の水平断面図である。
【図２】同杭の吊り治具を示し、（ａ）は吊り治具を介して杭をクレーンで吊り上げた状態を示す正面図、（ｂ）は杭受け台による杭の支持状態を示す拡大断面図である。
【図３】同杭の吊り治具のヒンジピンを抜いて締付管を開いた状態を示す概略斜視図である。
【図４】同杭の吊り治具を示し、（ａ）はその平面図、（ｂ）は同正面図、（ｃ）は（ａ）の側面図、（ｄ）は横リンクプレートの２面図、（ｅ）は縦リンクプレートの正面図である。
【図５】杭受け台の実施例を示し、（ａ）は杭受け台によりリンク機構を作用させた状態を示す正面図、（ｂ）は杭受け台の斜視図である。
【図６】本発明の杭の吊り治具の第２実施例を示し、（ａ）はその平面図、（ｂ）は締付リンクプレートの平面図、（ｃ）は吊り治具の正面図である。
【図７】本発明の杭の吊り治具の第３実施例を示し、（ａ）はその正面図、（ｂ）はロックピンのロック状態を示す断面図、（ｃ）はロックピンの解除状態を示す断面図である。
【図８】ロックピンを示し、（ａ）はその側面図、（ｂ）は（ａ）のＡ−Ａ線端面図、（ｃ）はロックピンの正面図である。
【図９】本発明の杭の吊り治具の第４実施例を示し、（ａ）はその平面図、（ｂ）は同正面図である。
【図１０】本発明の杭受け台の一実施例を示し、（ａ）はその平面図、（ｂ）はジャッキを退入させた状態を示す断面図、（ｃ）はジャッキを突出させた状態を示す断面図である。
【図１１】同実施例の杭受け台の使用状態を示す正面図である。
【符号の説明】
【００５２】
１    杭
２    締付管分割体
２ａ  Ｕ字状分割体
２ｂ  円弧状分割体
２１  突片
２２  取付片
２３  滑り防止部材
２４  取付片
２５  基軸
２６  長溝
３    リンク機構
４    横リンクプレート
５    縦リンクプレート
５１  嵌合孔
６    ボルト
７    ナット
８    杭受け台
８１  支持突起
８２  脚部
８３  ジャッキ
８４  幅調整シリンダ
９    ヒンジ
９１  ヒンジピン
１０  クレーン
１１  締付リンクプレート
１２  ローラ
１３  ロックピン
１３ａ  長溝
１３ｂ  切欠
１３ｃ  ピンケース
１３ｄ  ばね
１３ｅ  ロックピン本体
１３ｆ  引き金
１３ｇ  鉤溝
１４  補助リンクプレート
【図１】
2008121412.tif 000003
【図２】
2008121412.tif 000004
【図３】
2008121412.tif 000005
【図４】
2008121412.tif 000006
【図５】
2008121412.tif 000007
【図６】
2008121412.tif 000008
【図７】
2008121412.tif 000009
【図８】
2008121412.tif 000010
【図９】
2008121412.tif 000011
【図１０】
2008121412.tif 000012
【図１１】
2008121412.tif 000013